(57)【特許請求の範囲】
【請求項１】
テレビジョン受信機のチューニングのために、書き換え可能なメモリに複数のテレビジョンチャネルに対するディジタルチューニングデータおよびパラメータを記憶する方法において、
ａ）ボタン操作に基づき受信周波数帯域のスキャンによるチャネルサーチが開始され、
ｂ）１つのチャネル受信信号が検出されるとその時点の周波数のところでスキャンが停止され、該当するチャネルに関する少なくとも１つの受信パラメータに対し以下のステップｃ）〜ｅ）が実行され、
ｃ）所定の期間（ＤＴ）中またはボタンが操作されるまで、前記パラメータの値が周期的に変更され、
ｄ）前記期間中にボタンが操作されると、該ボタン操作時点のパラメータの値が記憶され、
ｅ）前記期間中にボタンが操作されないと、必要に応じて前記周波数帯域のスキャンが再開され、
ｆ）前記ステップｂ）へ戻る
ことを特徴とするディジタルチューニングデータおよびパラメータを記憶する方。
【請求項２】
１つのチャネルに対する最後のパラメータの値の選択中に前記ボタンを操作することで、当該チャネルのために記憶されたすべてのパラメータ値が有効にされる、請求項１記載の方法。
【請求項３】
前記のチャネルパラメータ値は自動的にインクリメントされるメモリロケーションに記憶される、請求項１記載の方法。
【請求項４】
前記チャネルパラメータ値は、プログラム選択キーを用いて選択されたメモリロケーションに記憶される、請求項１記載の方法。
【請求項５】
テレビジョンチャネル受信用パラメータを記憶するための書き換え可能なメモリと、該メモリから前記受信用パラメータを選択するための回路が設けられている、テレビジョン装置またはビデオレコーダのようなテレビジョン受信機において、
受信周波数帯域のスキャンによるテレビジョンチャネルサーチを開始させるためと、所定の期間にわたり前記パラメータの値を周期的に変更している間、チャネルの信号に対する少なくとも１つのパラメータの値を有効にするために、ただ１つのボタンが設けられていることを特徴とするテレビジョン受信機。
【発明の詳細な説明】
【０００１】
【発明の属する技術分野】
本発明は、テレビジョン受信機のチューニングのために、書き換え可能なメモリに複数のテレビジョンチャネルに対するディジタルチューニングデータおよびパラメータを記憶する方法、ならびにテレビジョンチャネル受信用パラメータを記憶するための書き換え可能なメモリと、該メモリから前記受信用パラメータを選択するための回路が設けられている、テレビジョン装置またはビデオレコーダのようなテレビジョン受信機に関する。
【０００２】
【従来の技術】
この種の装置については、複数のテレビジョンチャネルに関するパラメータを記憶するのが一般的である。以前は、専門的でないユーザにとっては容易に理解できない機械的な手段によってデータが記憶されていた。目下の技術レベルでは、チャネルの記憶動作のためには周波数範囲全体を順次にスキャンすることが必要とされている。最初のスキャンによって第１のパラメータ（たとえばＰＡＬ）の最初の値がサーチされ、これに続いてその周波数範囲の第２のスキャンにより同じパラメータの別の値がサーチされる、というぐあいである。１つのチャネルがチューニングされるたびに、そのチャネルに関するデータを記憶させるための何らかの付加的な動作がユーザに対して促される。
【０００３】
このような方法は緩慢であり、また、メモリの完全なリセットを強いるようなエラーの可能性もある。
【０００４】
【発明が解決しようとする課題】
本発明によればこの課題は、
ａ）ボタン操作に基づき受信周波数帯域のスキャンによるチャネルサーチが開始され、
ｂ）１つのチャネル受信信号が検出されるとその時点の周波数のところでスキャンが停止され、該当するチャネルに関する少なくとも１つの受信パラメータに対し以下のステップｃ）〜ｅ）が実行され、
ｃ）所定の期間（ＤＴ）中またはボタンが操作されるまで、前記パラメータの値が周期的に変更され、
ｄ）前記期間中にボタンが操作されると、該ボタン操作時点のパラメータの値が記憶され、
ｅ）前記期間中にボタンが操作されないと、必要に応じて前記周波数帯域のスキャンが再開され、
ｆ）前記ステップｂ）へ戻る
ことを特徴とするに方法より解決される。
さらに上記の課題は、受信周波数帯域のスキャンによるテレビジョンチャネルサーチを開始させるためと、所定の期間にわたり前記パラメータの値を周期的に変更している間、チャネルの信号に対する少なくとも１つのパラメータの値を有効にするために、ただ１つのボタンが設けられていることを特徴とするテレビジョン受信機により解決される。
【０００５】
【課題を解決するための手段および利点】
本発明によればこの課題は、前記書き換え可能なメモリのメモリロケーションに記憶されたデータはプログラム選択キーによりアクセスされ、受信周波数帯域のスキャンを開始させるためにただ１つのボタンを押すことで自動的なチャネルサーチが始められ、１つのチャネルが検出されるたびに、前記の自動的なチャネルサーチはまえもって設定された一時中止期間（Δｔ）にわたり自動的に休止され、周波数帯域の他方の境界に達すればスキャンは終了し、スキャンが休止されるたびに、前記ただ１つのボタンが一時休止期間（Δｔ）の間に押されれば、システムは、前記書き換え可能なメモリにおける占有されていないロケーションに検出されたチャネルの受信周波数を記録し、チャネルを規定する各パラメータごとに、前記の受信周波数と同じメモリロケーションに目下のパラメータ値を記憶させるために前記ただ１つのボタンが押されるまで、可能なパラメータ値についてのトグルを開始し、スキャニング休止後、前記一時休止期間（Δｔ）中に前記ただ１つのボタンが押されなければ、前記周波数スキャンが自動的に再開されることにより解決される。
【０００６】
有利には、１つの所定の周波数に対する最後のパラメータの値を有効にするために上記のただ１つのボタンを押すことで、対応する送信局について記憶されたすべてのパラメータ値が有効にされる。
【０００７】
このシステムの第１の変形実施形態によれば、そのつど新たなチャネルに対し自動的にインクリメントされたメモリロケーションに前記のチャネルパラメータ値が記憶される。
【０００８】
第２の変形実施形態によれば、前記のチャネルパラメータ値はプログラム選択キーを用いることで選択されたメモリロケーションに記憶される。
【０００９】
また本発明は、テレビジョン受信機またはビデオカセットレコーダのチューニングに用いられる、書き換え可能なメモリにおけるチャネルデータの選択回路に関する。この場合、メモリロケーションはプログラム選択キーによりアクセスされ、見ることのできるチャネルに対するパラメータの記憶動作シーケンスを開始させるために、およびパラメータ値を各受信周波数に割り当てるために、ただ１つのボタンがシステムによって用いられる。
【００１０】
さらに本発明は、前記のチャネルデータ選択回路を備えたテレビジョン受信機およびビデオカセットレコーダにも関する。
【００１１】
次に、図面を参照して本発明について詳細に説明する。
【００１２】
【発明の実施の形態】
本発明による方法で用いられる受信機のプログラミングは以下のとおりである。
【００１３】
このプログラミングのシーケンスは、記憶プロセス全体のために設けられているただ１つのボタンを押すことで開始される。
【００１４】
受信機は、電圧制御形発振器（ＶＣＯ）から信号を受け取る位相比較器を用いた周知のマルチスタンダード復調器を有している。
【００１５】
発振器のための制御電圧は、送信が検出されるまで連続的に変化する。送信局からの受信信号の検出により（正および負の）変調における周期的な変化が開始され、それぞれ異なる可能なテレビジョン規格（ＮＴＳＣ，ＰＡＬまたはＳＥＣＡＭ）は順次連続する変化の形で、（正および負の）両方の極性が各規格に対応づけられている。典型的にはユーザは、鮮明な画像が画面上で見られるようになったときに前記のただ１つのボタンを押す。このことにより、選択されているチャネルに対し適切な規格に合わせて変調がセットされる。いくつかの変調変化サイクルに相応する遅延時間Δｔ後、上記のただ１つのボタンが押されなければ、周波数スキャンが自動的に再開される。
【００１６】
適切な変調が選択されれば、鮮明な画像が画面上で見られたときに上記のただ１つのボタンが押されるまで、システムは種々異なる存在し得る規格（ＮＴＳＣ，ＰＡＬまたはＳＥＣＡＭ）を順次、提案していく。いくつかの規格の変更に対応する遅延時間Δｔ後、前記のただ１つのボタンが押されなければ、周波数スキャンが自動的に再開される。
【００１７】
周波数の調節ならびに、スキャニング時相中はカットされている音声成分の復旧により、チャネル選択が続けられる。選択されたチャネルは、空いているメモリセルに記録される。このことは自動的に行われるかまたは、チャネルセレクタを用いたチャネル番号の選択により行われる。
【００１８】
この選択サイクルは、すべてのメモリセルが占有されてしまうまで続けられるかまたは周波数範囲全体がスキャンされてしまうまで、あるいはユーザが選択プロセスを意図的に中止するまで続けられる。
【００１９】
上述の本発明の説明は限定的なものではない。当業者であれば本発明の枠内で本発明の変形構成を開発できることは自明である。
【図面の簡単な説明】
【図１】本発明による方法のプロセスのフローチャートである。
【図１】
0003825084.tif 000002